(57)【要約】本発明は、化粧品容器に関し、特に、リップグロース、アイライナー、アイシャドー、又はマニキュアのような液状の化粧品をコンテナー（容器）に使用する際に、容器内の内容物によりブラシが自然に変形されて、使い勝手が悪くなるのを解消するため、上部キャップと下部キャップとが相互に回転し、ブラシの昇降、およびキャップの開閉が容易になるよう発明したことを特徴とし、その構成は、開口部にネジ部を有する容器、容器の開口部上に安着されるパッキング体、ブラシの昇降のための上部キャップと昇降棒、および容器から一体のキャップを分離するための下部キャップからなっており、前記上部キャップと下部キャップとに、それぞれ、昇降棒を昇降するための所定の回転範囲を有する溝が加工され、昇降棒と共に一体化されたキャップを形成し、前記キャップを回転させてブラシをブラシ保護管に保管するようにし、キャップを化粧品容器から分離するとき、パッキング体に備えられたワイパーの作用で、過度な量の化粧品が付着することを防止するようにした。
2004513693.tif 000002
【特許請求の範囲】
【請求項１】
内容物を入れることができる空間を有し、開放された上部の周縁部にネジ部（７３）が形成された容器本体（７）と、前記容器本体（７）の開口部（７２）に結合され、抜き出し量を調節するパッキング体（６）と、所定の長さを有し、下端にブラシ（８）が固定されたブラシ棒（４３）、および前記容器本体（７）のネジ部（７３）に締結される雌ネジが形成された密閉用キャップ（１）とから構成された化粧品容器において、
前記キャップ（１）は、外皮キャップ（１１）に覆われた上部キャップ（２）および下部キャップ（３）が相互に結合され、
上部キャップ（２）は、所定の回転角、即ち、９０〜１８０°を有する二重螺旋案内溝（２１）が内面に形成され、外周面に密着突起（２２）が形成され、前記外皮キャップ（１１）の内面に無理に嵌合又は接着剤で結合され、
下部キャップ（３）は、前記上部キャップ（２）の内側に嵌め込まれ、固定突起（３３）が上端に形成され、前記ブラシ（８）の昇降範囲分だけのリード溝（３１）が垂直方向に対向するように形成され、その下部には、前記下部キャップ（３）の下端から延在し、前記容器本体（７）のネジ部（７３）に締結される雌ネジが内部に形成された開閉用回転摘み（３５）を形成し、
ブラシ保護管（５）は、前記下部キャップ（３）の内側に嵌め込まれ固定されるように、上部に密閉円板（５２）が形成され、密閉円板（５２）の中央から所定の長さに延在した案内棒（５１）が、前記容器本体（７）に結合されたパッキング体（６）に接しながら嵌め込まれるように一体に形成され、
前記の上部キャップ（２）の二重螺旋案内溝（２１）と下部キャップ（３）のリード溝（３１）に嵌められる案内突起（４２）を上部に突出形成し、下端にブラシ（８）を固定したブラシ棒（４３）からなる昇降棒（４）を含む化粧品容器を形成し、前記上部キャップ（２）の回転により前記昇降棒（４）が上昇および下降され、ブラシ（８）が、前記ブラシ保護管（５）の案内棒（５１）に出し入れできるようにしたことを特徴とする、化粧品容器。
【請求項２】
前記下部キャップ（３）のリード溝（３１）の上下端には、前記上下移動される昇降棒（４）が上死点又は下死点に至った後に停止するように、相互に反対の直角方向に向かって止め溝（３１’）が形成されてなることを特徴とする、請求項１記載の化粧品容器。
【請求項３】
外皮キャップ（１１）は、前記上部キャップ（２）の下端から延在し、前記下部キャップ（３）の回転摘み（３５）との間に所定の空間を有しながら、回転摘み（３５）の下端まで延在してなることを特徴とする、請求項１又は２記載の化粧品容器。
【発明の詳細な説明】
【０００１】
（技術分野）
本発明は、化粧品容器に関し、特に、リップグロース、アイライナー、アイシャドー、又はマニキュアのような液状の化粧品をコンテナー（容器）に使用する際に、容器内の内容物によりブラシが自然に変形されて、使い勝手が悪くなるのを解消するため、上部キャップと下部キャップとが相互に作動され、ブラシの保護および使用のための昇降、およびキャップの開閉が容易になるように発明したことを特徴とする化粧品容器に関する。
【０００２】
（背景技術）
上記のような液状の化粧品を使用する方法として、容器と分離したブラシを化粧品容器の内部に入れた化粧品溶液に付けて使用するか、又は、キャップと一体化されているブラシおよびブラシ棒が、キャップを閉じると共に化粧品溶液に浸され、ブラシに化粧品溶液を付けて使用する方法がある。このような方法によってブラシに付けられた化粧品溶液を使用する場合、ブラシに過度に付着した化粧品溶液が、ブラシ棒を乗って流れるか、又は落ちてしまい、使い勝手が悪い。かかる問題点を改善するための従来技術は、主に、化粧品文化が発達した海外から開発されてきており、殆どがブラシ棒をワイピングする方法について開発されてきた。
【０００３】
米国特許第４，８８６，３８７号によれば、上記発明は、化粧品容器に関するもので、前記化粧品容器は、開閉端を有する容器、蓋と一体化されている長棒およびブラシを有するブラシ棒、容器の内面の上部にブラシ棒およびブラシをワイピングするために設けられたワイパーと、容器の内面の下部に別のチャンバをおき、ブラシをワイピングするための別のワイパーとで構成されている。前記の蓋と一体化されているブラシ棒は、指で取り易くなっており、ブラシおよびブラシ棒に付いている液状の化粧品をワイピングするため、２段階のワイパーが設けられているが、容器の下部から除去された液状の化粧品が再びブラシに付き、実際に、容器の下部のワイパーは役割を十分に果たすことができず、ブラシも、ブラシ棒と垂直に形成されており、長期間使用する場合、ブラシの剛毛が一方向に曲がり、ブラシの機能を十分に発揮することができない問題点があった。
【０００４】
また、米国特許第４，９２７，２８１号によれば、上記発明も、化粧品ブラシおよび容器に関するもので、ブラシは、最小限二本で巻かれた金属線に楔状に折られた数多くの剛毛を螺旋状に挟み込んで固定しており、化粧品容器は、蓋部と容器部とで分離されている。蓋部は、ブラシ棒と一体化され、容器の開口部に設けられたネジを外すことにより、ブラシおよびブラシ棒が容器から分離されるが、この際、容器の開口部内に設けられたワイパーにより、ブラシ棒に付いている化粧品溶液と、ブラシにしこりとなった化粧品溶液とを、適宜除去するようになっている。上記の場合、ワイパーの収縮力がよい場合、ブラシを締め過ぎ、化粧に要する量だけの化粧品がブラシに付着していないか、甚だしくはブラシが曲がるとか横たえられるとかする現象が発生することがある。
【０００５】
その他に、韓国内の場合でも、上述の技術と類似して、容器の開口部にワイパーパッキング体を嵌め込み、ブラシをワイピングすることで、ブラシ棒とブラシに付いている液状の化粧品を適宜除去するようになっている。
【０００６】
（発明の開示）
本発明は、このような従来の問題点を解決するために創案されたもので、本発明の目的は、ブラシに過度な量の液状の化粧品が付着するのを防止するため、容器の開口部にワイパーを形成したパッキング体を設け、ブラシを何回抜き出してもブラシの変形が生じないよう、ブラシ保護管を設け、直接的にワイパーによりブラシが損傷されることがないようにし、さらに、ブラシをブラシ保護管内に入れるため、上部キャップおよび下部キャップに相互に回転可能な案内溝を設け、ブラシの昇降においてブラシを安全に保護することにある。
【０００７】
本発明は、化粧品容器に関し、特に、マスカラ又はマニキュアのような液状の化粧品を使用する際に、上部キャップと下部キャップの相互回転によるブラシの昇降、およびキャップの開閉が容易になるように発明されたことを特徴とし、その構成は、開口部にネジ部を有する容器本体、容器本体の開口部上に安着されるパッキング体、ブラシの昇降のための上部キャップと昇降棒、および容器からキャップを分離するための雌ネジを有する下部キャップからなる。
【０００８】
上記化粧品容器のキャップは、上部キャップと下部キャップとに分離されており、それぞれの溝、即ち、リード溝と二重螺旋案内溝とに昇降棒の案内突起が嵌め込まれ、上部キャップの内面と下部キャップの外面とが相互に突き合され、上部キャップと下部キャップを互いに反対方向に回転させ、案内突起がリード溝と二重螺旋案内溝とに沿って移動し、結果的に、ブラシ棒と一体の昇降棒が上昇／下降するようにした。また、下部キャップを回転させてブラシを化粧品容器本体から抜き出すとき、案内棒およびブラシを含む昇降棒がともに抜かれるが、この際、昇降棒とブラシに付いている液状の化粧品は、パッキング体に設けられたワイパーにより拭かれ、過度に化粧品が付着することを防止することができる。
【０００９】
（発明を実施するための最良の形態）
本発明による実施例を、添付の図面によって説明すれば、下記のごときである。
【００１０】
図１は、本発明による化粧品容器の断面図を示しており、液状の化粧品が適量充填された状態で、化粧品容器に上部キャップ２、下部キャップ３、パッキング体６および昇降棒４の一切が組立てられた状態を示している。化粧品容器の開口部７２に安着されたパッキング体６は、容器が傾いたときに容器部７１の液状の化粧品が外部に流出することを防止するように設置されており、ブラシ棒４３を容器から抜き出すとき、ワイパー６２でブラシ保護管５をワイピングするが、この際、パッキング体６が外れないように開口部７２の内面に密着されている。前記ブラシ保護管５は、前記パッキング体６の上に位置し、下部キャップ３の内面に形成された雌ネジが終わる突起に嵌め込まれ、下部キャップ３に固定される。従って、キャップ１を抜き出すとき、ブラシ保護管５が、キャップ１と共に外れるようにした。前記ブラシ保護管５は、ブラシ棒４３およびブラシ８を含む昇降棒４を管内に保管することを目的として設けられており、昇降棒４の上下移動により、ブラシ８は、ブラシ保護管５の内部又は外部に位置することになる。また、前記上部キャップ２と下部キャップ３とは、昇降棒４の案内突起４２を二重螺旋案内溝２１とリード溝３１とにそれぞれ嵌め込むことにより結合され、上部キャップ２の内面と下部キャップ３のリード管３４とが互いに突き合され、容器本体７と分離されるキャップの組立体を形成する。一方、キャップ１は、上部キャップ２の外周面に形成された密着突起２２に無理に嵌め込みを行うか、又は接着剤等で接合され、外皮キャップ１１を回転させることにより、上部キャップ２が共に回転するようにした。
【００１１】
図２は、本発明による化粧品容器の分解斜視図を示しており、右側から組立順に各々の部品等を並べた。まず、容器本体７の開口部７２にパッキング体６を嵌め込み、パッキング体６の孔の中にブラシ保護管５の案内棒５１を挿入した後、前記ブラシ保護管５内に昇降棒４を挿入し、昇降棒４の上部に突出された案内突起４２を、まず、下部キャップ３のリード溝３１に嵌め込み、案内突起４２がリード溝３１に沿って動けるようにし、下部キャップ３のリード溝３１の外に突出された案内突起４２を、さらに上部キャップ２の内面に加工された二重螺旋案内溝２１に嵌め込み、上部キャップ２と下部キャップ３の移動を拘束すると共に、前記上部キャップ２および下部キャップ３を一体化させる。また、上部キャップ２が案内突起４２の外に離脱することを防止し、ブラシ８の昇降を便利にするため、外皮キャップ１１を被せた。ここで、前記パッキング体６の上端は、前記容器本体７の開口部７２に載せられるように固定突出部６１が形成されており、下端は、ブラシ保護管５に付着する液状の化粧品をワイピングするため、ブラシ保護管５の外径とワイパー６２の内径が公差の余裕がなく嵌め込まれるようにした。さらに、前記のワイパー６２の上端部は、ブラシ保護管５の内径よりも大径を有するようにし、ブラシ保護管５の抜き出しを容易にし、下端部は、容器本体７の開口部７２の深さ程度の長さ又はそれ以上で所定の角度をなすように内方に傾いた円錐状であり、先端は尖部をなしている。前記昇降棒４は、昇降棒ヘッド４１、ブラシ棒４３、およびブラシ８でなっており、昇降棒ヘッド４１の外周面に下部キャップ３のリード溝３１の深さ、即ち、下部キャップ３の厚さの長さよりも多少高い案内突起４２が対向して設けられた。また、ブラシ棒４３の下部には、ブラシ８が円滑にブラシ保護管５に挿入されるように、所定の傾斜に傾くように加工されている。前記下部キャップ３は、前記昇降棒４の案内突起４２が進入可能にリード溝開放部３２を置き、前記上部キャップ２の回転により、昇降棒４の案内突起４２の摺動で昇降棒４の上昇を導くように、ブラシ８の昇降範囲分だけリード溝３１が垂直方向に形成されており、一定の高さ、即ち、上死点および下死点以上に昇降しないように止め溝３１’を置いた。一方、前記下部キャップ３の上端には、上部キャップ２内に嵌め込まれ、上部キャップ２の上部に固定されるように、所定の高さを有する下部キャップ固定突起３３が形成されており、反面、前記下部キャップ３の下端には、前記上部キャップ２が載るように段差をなしている。前記下部キャップ３と昇降棒４とが結合された状態で、上部キャップ２の内面下部に形成された二重螺旋案内溝２１に昇降棒４の案内突起４２を嵌め込み回転させながら、下部キャップ３、上部キャップ２および昇降棒４を結合する。また、前記二重螺旋案内溝２１は、９０〜１８０°間の角度分だけ回転するように、二重螺旋が対向して加工されている。
【００１２】
図３は、キャップと容器本体とを分離した状態の断面図であり、前記キャップ１を化粧品容器本体７から分離し、前記上部キャップ２を回転させ、ブラシ保護管５内にブラシ８を上昇した場合を示している。図示のように、ブラシ保護管５の密閉円板５２は、下部キャップ３のネジの山の先端に形成された突出部６１に固定される。
【００１３】
図４は、ブラシが下降した状態の化粧品容器の断面図であり、化粧品容器本体７に一体のキャップを閉じた状態で、上部キャップ２を回転させ、ブラシ８をブラシ保護管５の外に出るようにした状態を示している。この場合、案内突起４２は、それぞれ、上部キャップ２の二重螺旋案内溝２１および下部キャップ３のリード溝３１の下方部分に位置し、下部キャップ３の止め溝３１’により回転が止まる。
【００１４】
図５は、ブラシが上昇した状態の化粧品容器の断面図であり、化粧品容器本体７に一体のキャップを閉じた状態で、上部キャップ２を、図４の場合とは反対方向に回転させ、ブラシ８をブラシ保護管５内に入るようにした状態の断面を示している。この場合、案内突起４２は、それぞれ、上部キャップの二重螺旋案内溝２１および下部キャップ３のリード溝３１の上方部分に位置し、下部キャップ３の止め溝３１’により回転が止まる。
【００１５】
図６は、本発明による他の実施例を示す図であり、構成は、本発明による化粧品容器の場合と同一であるが、外皮キャップ１１を前記上部キャップ２の下端から長く延在させ、下部キャップ３の回転摘み３５まで覆うことにより、それぞれのキャップを一体化した。長く延在させた前記外皮キャップ１１は、多少柔軟性を有する材質でなっており、長く延在させた前記外皮キャップ１１の使用例を挙げれば、次のようなものである。ブラシ保護管５内にブラシ８を昇降するためには、本発明の場合と同様な方法で長く延在させた外皮キャップ１１の上部を握って回転させ、キャップ１およびブラシ８を化粧品容器本体７から分離するためには、前記の長く延在させた外皮キャップ１１の下端部を密着回転させ、容器本体７から分離する。
【００１６】
上述のように、本発明による化粧品容器は、ブラシ８の抜き出しの際、ブラシ８の損傷を防止し、ブラシ保護管５にブラシ８を保管するようにし、過度な量の化粧品が付着することを防止するように発明されたことを特徴としている。
【００１７】
本発明による化粧品容器は、容器本体に嵌め込まれたパッキング体の下部に位置したワイパーの作用で、ブラシ保護管に過度な量の化粧品が付着するのを防止することができ、相互に回転可能に発明された上部キャップおよび下部キャップの溝によるブラシ棒の昇降で、ブラシ保護管内にブラシを保管することができるようにし、ブラシの頻繁な抜き出しにもブラシの変形および損傷を防止することができる。
【図面の簡単な説明】
【図１】本発明による化粧品容器の断面図である。
【図２】本発明による化粧品容器の分解斜視図である
【図３】キャップと容器本体を分離した状態の断面図である。
【図４】ブラシが下降した状態の化粧品容器の断面図である。
【図５】ブラシが上昇した状態の化粧品容器の断面図である。
【図６】本発明による別の実施例の断面図である。
【国際公開パンフレット】
2004513693.tif 000003
2004513693.tif 000004
2004513693.tif 000005
2004513693.tif 000006
2004513693.tif 000007
2004513693.tif 000008
2004513693.tif 000009
2004513693.tif 000010
2004513693.tif 000011
2004513693.tif 000012
2004513693.tif 000013
2004513693.tif 000014
2004513693.tif 000015
2004513693.tif 000016
2004513693.tif 000017
2004513693.tif 000018
2004513693.tif 000019
2004513693.tif 000020
2004513693.tif 000021
【国際調査報告】
2004513693.tif 000022